(57)【要約】【課題】連動機器の状態に基づいて加熱動作状態を制御したり、連動機器の状態を表示したりすることもできる使い勝手のよい加熱調理器を提供することを目的とする。【解決手段】被加熱物２を加熱する加熱手段１と、加熱動作状態を表示する表示手段３と、加熱動作状態情報を加熱調理と連動する連動機器６へ送信する発光手段８ｂおよび連動機器６の状態情報を受信する受光手段９ｂを有する赤外線双方向通信手段１２と、赤外線双方向通信手段１２の受光手段９ｂの受信情報により表示手段３、発光手段８ｂおよび加熱手段１を制御する制御手段１１とを備えたものである。これによって、赤外線双方向通信手段１２による情報の受発信で連動機器６の状態に基づいて加熱調理器５の加熱動作状態を制御したり、連動機器６の状態を表示したりすることもできる。【選択図】図１
2008192494.tif 000002
【特許請求の範囲】
【請求項１】
被加熱物を加熱する加熱手段と、加熱動作状態を表示する表示手段と、加熱動作状態情報を加熱調理と連動する連動機器へ送信する発光手段および連動機器の状態情報を受信する受光手段を有する赤外線双方向通信手段と、赤外線双方向通信手段の受光手段の受信情報により表示手段、発光手段および加熱手段を制御する制御手段とを備えた加熱調理器。
【請求項２】
表示手段は、加熱動作状態に加えて連動機器の動作状態も表示する請求項１に記載の加熱調理器。
【請求項３】
加熱手段の上方には被加熱物を載置するトッププレートを有し、トッププレートの下方に赤外線双方向通信手段を配置した請求項１または２に記載の加熱調理器。
【請求項４】
加熱手段は電磁誘導作用によって被加熱物を加熱する誘導加熱コイルである請求項１〜３のいずれか１項に記載の加熱調理器。
【請求項５】
請求項１〜４のいずれか１項に記載の加熱調理器を備え、連動機器は加熱動作状態情報を受信する受光手段と連動機器の状態情報を送信する発光手段とを有する加熱調理システム。
【請求項６】
連動機器はレンジフードである請求項５に記載の加熱調理システム。
【発明の詳細な説明】
【技術分野】
【０００１】
本発明は、誘導加熱調理器などの加熱調理器とこれを備えた加熱調理システムに関するものである。
【背景技術】
【０００２】
従来、加熱調理器とこれを備えた加熱調理システムとしては、加熱調理器の加熱のＯＮ／ＯＦＦに連動して換気装置が動作するものが知られている。その連動方式としては有線にて加熱調理器から換気装置に信号を送信する方法や、赤外線や電波を用いた無線通信による信号の送信を行うものである（例えば、特許文献１参照）。
【特許文献１】特開２００３−２２９２４０号公報
【発明の開示】
【発明が解決しようとする課題】
【０００３】
しかしながら、前記従来の構成では、加熱調理器から換気装置の受信機器への、単一方向の通信のみがなされているため、換気装置の受信機器の動作状態を加熱調理器で認知する手段がなく、換気装置の動作状態に基づいて加熱調理器の動作を制御したり、換気装置の動作状態を加熱調理器で表示したりすることができない構成であり、使い勝手が今一つであった。
【０００４】
本発明は、前記従来の課題を解決するもので、レンジフードなどの連動機器の状態に基づいて加熱動作状態を制御したり、連動機器の状態を表示したりすることもできる使い勝手のよい加熱調理器とこれを備えた加熱調理システムを提供することを目的とする。
【課題を解決するための手段】
【０００５】
前記従来の課題を解決するために、本発明の加熱調理器は、被加熱物を加熱する加熱手段と、加熱動作状態を表示する表示手段と、加熱動作状態情報を加熱調理と連動する連動機器へ送信する発光手段および連動機器の状態情報を受信する受光手段を有する赤外線双方向通信手段と、赤外線双方向通信手段の受光手段の受信情報により表示手段、発光手段および加熱手段を制御する制御手段とを備えたものである。
【０００６】
これによって、赤外線双方向通信手段による情報の受発信で連動機器の状態に基づいて加熱調理器の加熱動作状態を制御したり、連動機器の状態を表示したりすることもできる。すなわち、加熱調理器の加熱出力に応じて連動機器のファン回転数を制御することができることはもちろんのこと、連動機器のファン回転数に応じて加熱出力を制御したり、加熱動作状態や連動機器の状態を表示手段で表示したりすることができるものであって、使い勝手のよい加熱調理器を実現することができる。
【０００７】
また、本発明の加熱調理器を備えた加熱調理システムは、赤外線双方向通信手段による情報の受発信により、使い勝手のよい、しかも省エネ効果のある最適加熱調理システムが実現できる。
【発明の効果】
【０００８】
本発明の加熱調理器とこれを備えた加熱調理システムは、レンジフードなどの連動機器の状態に基づいて加熱動作状態を制御したり、連動機器の状態を表示したりすることもでき、使い勝手がよい。
【発明を実施するための最良の形態】
【０００９】
第１の発明は、被加熱物を加熱する加熱手段と、加熱動作状態を表示する表示手段と、加熱動作状態情報を加熱調理と連動する連動機器へ送信する発光手段および連動機器の状態情報を受信する受光手段を有する赤外線双方向通信手段と、赤外線双方向通信手段の受光手段の受信情報により表示手段、発光手段および加熱手段を制御する制御手段とを備えた加熱調理器とするものである。これによって、赤外線双方向通信手段による情報の受発信で連動機器の状態に基づいて加熱調理器の加熱動作状態を制御したり、連動機器の状態を表示したりすることもできる。すなわち、加熱調理器の加熱出力に応じて連動機器のファン回転数を制御することができることはもちろんのこと、連動機器のファン回転数に応じて加熱出力を制御したり、加熱動作状態や連動機器の状態を表示手段で表示したりすることができるものであって、使い勝手のよい加熱調理器を実現することができる。
【００１０】
第２の発明は、特に、第１の発明において、表示手段は、加熱動作状態に加えて連動機器の動作状態も表示することにより、例えば、連動機器の回転動作表示や連動機器の異常表示を加熱調理器でも行うことができ、表示性能の高い加熱調理器を実現できる。また、表示手段としては、加熱調理器の１箇所のみとすることが可能で、簡潔な構成とすることができる。
【００１１】
第３の発明は、特に、第１または第２の発明において、加熱手段の上方には被加熱物を載置するトッププレートを有し、トッププレートの下方に赤外線双方向通信手段を配置したことにより、赤外線双方向通信手段の発光手段、受光手段の汚れ付着による通信信頼性の低下を抑制するものであり、トッププレートのみを清掃することで容易に汚れを除去でき、通信信頼性を維持することができる。
【００１２】
第４の発明は、特に、第１〜第３のいずれか１つの発明において、加熱手段は電磁誘導作用によって被加熱物を加熱する誘導加熱コイルであることにより、加熱出力の微調整が容易で最適効率の加熱調理器を実現できることに加え、直火がないため安全性にも優れたものとすることができる。
【００１３】
第５の発明は、特に、第１〜第４のいずれか１つの発明における加熱調理器を備え、連動機器は加熱動作状態情報を受信する受光手段と連動機器の状態情報を送信する発光手段とを有する加熱調理システムとすることにより、赤外線双方向通信手段による情報の受発信により、使い勝手のよい、しかも省エネ効果のある最適加熱調理システムが実現できる。また、例えば、この加熱調理システムにおいては、加熱調理器が故障した場合、連動機器を含めた加熱調理システム全体を修復する必要がなく、加熱調理器のみを修理もしくは交換することでシステムを復元することができ、安価な修理となる。
【００１４】
第６の発明は、特に、第５の発明において、連動機器はレンジフードであることにより、キッチンや部屋を汚すことなく、快適な調理ができるものである。
【００１５】
以下、本発明の実施の形態について、図面を参照しながら説明する。なお、この実施の形態によって本発明が限定されるものではない。
【００１６】
（実施の形態）
図は、本発明の実施の形態における加熱調理器とこれを備えた加熱調理システムを示している。
【００１７】
図１に示すように、本実施の形態における加熱調理器５は、鍋、フライパンなどの被加熱物２を電磁誘導作用によって加熱する誘導加熱コイルなどの加熱手段１と、加熱動作状態を表示する表示手段３と、加熱動作状態情報を加熱調理と連動するレンジフードなどの連動機器６へ送信する発光手段８ｂおよび連動機器６の状態情報を受信する受光手段９ｂを有する赤外線双方向通信手段１２と、赤外線双方向通信手段１２の受光手段９ｂの受信情報により表示手段３、発光手段８ｂおよび加熱手段１を制御する制御手段１１とを備えている。
【００１８】
表示手段３は、その視認性を向上させるためバックライト付きＬＣＤや蛍光表示管が用いられるが、ここでは加熱調理器５の前面の１箇所のみに設けられている。
【００１９】
また、加熱手段１の上方には被加熱物２を載置するトッププレート４を有し、このトッププレート４の下方に赤外線双方向通信手段１２は配置されている。
【００２０】
また、加熱調理器５は、トッププレート４と同一面上に表示手段３とともに操作スイッチ１０を有しており、制御手段１１に対して使用者が適宜情報を入力できるものである。これによって、制御手段１１は操作スイッチ１０からの入力と受光手段９ｂの受信情報により、加熱調理器５全体を制御している。
【００２１】
前記した連動機器６は、ここではレンジフードを例示しているが、これには赤外線双方向通信手段１２を構成する発光手段８ａ、受光手段９ａ、シャッターなどの可動部７、ファンおよびレンジフードの操作スイッチなどが装備されている。発光手段８ａは、加熱調理器５の受光手段９ｂに対向し、受光手段９ａは加熱調理器５の発光手段８ｂにそれぞれ対向しているものである。
【００２２】
すなわち、発光手段８ｂと受光手段９ａの信号通信で加熱調理器５の加熱動作状態を連動機器６へ、発光手段８ａと受光手段９ｂの信号通信で連動機器６の動作状態を加熱調理器５へ、互いに情報通信することができ、例えば、設定された火力に最適な連動機器６のファン回転動作や、その逆に設定されたファン回転数に最適な加熱調理器５の加熱動作を双方向通信により設定することができ、省エネ効果のある加熱調理システムを構築している。すなわち、連動機器６のファン回転は、住宅間取りや排気口の大きさなどの取り付け設置条件で変動するが、実際のファン回転速度と加熱出力を連動機器６と加熱調理器５間で双方向通信することで、加熱出力に応じた高効率の加熱調理システムが実現でき、省エネ効果の高いものとなる。また、双方向通信により、加熱調理器５は連動機器６の動作状態を認知することができ、例えば、連動機器６の可動部７が機構的故障で加熱調理器５に異常に近接した場合などには、そのことを加熱調理器５が認識し加熱動作を抑制または停止させることもでき、安全性確保ができる。
【００２３】
さらに、加熱調理器５が連動機器６の動作状態を常時認識できるため、連動機器６の動作を加熱調理器５で表示することができ、連動機器６には動作モードを示す表示手段３は不要もしくは簡易的なもので十分であり構成が安価となる。
【００２４】
なお、連動機器６としては、レンジフードを例示しているが、これに限られるものではなく、換気装置、空調装置あるいは照明装置などであっても良い。
【００２５】
次に、図２は、本実施の形態における加熱調理器５と連動機器６の操作スイッチを、また図３は、加熱調理器５の表示手段３における表示動作例をそれぞれ示している。
【００２６】
図２（ａ）に示すように、加熱調理器５内にある操作スイッチ１０は、加熱出力を大きくする際に操作するアップスイッチ１０ａ、加熱出力を小さくする際に操作するダウンスイッチ１０ｂ、加熱の停止もしくは開始を行う際に操作する加熱切／入スイッチ１０ｃを有している。また、図２（ｂ）に示すように、連動機器６の操作スイッチとしては、ファンを弱回転速度で動作させる際に操作する弱スイッチ６ａ、同様に中回転速度動作用の中スイッチ６ｂ、強回転速度動作用の強スイッチ６ｃ、弱、中、強の３スイッチの操作を無効とするためのロックスイッチ６ｄ、ファン回転を停止させる際に操作する切スイッチ６ｅを有している。
【００２７】
図３に示すように、表示手段３はバックライト付ＬＣＤとして記載している。図３（ａ）の初期状態で、加熱切／入スイッチ１０ｃをオンすると、制御手段１１により加熱動作を開始するとともに、発光手段８ｂから受光手段９ａへの赤外線通信により、ファン回転を加熱スタートと連動動作し、ファンが回転すると発光手段８ａから受光手段９ｂへの赤外線通信により連動機器６の動作状態が加熱調理器５へ情報通信される。図３（ｂ）はその際の表示であり、連動機器６が中速回転、火力出力が５レベルであることを示している。図３（ｂ）の状態でアップスイッチ１０ａを操作すると、図３（ｃ）に示すように、加熱出力は５レベルから６レベルへと大きくなる。図３（ｃ）の状態でさらにアップスイッチ１０ａを操作すると、図３（ｄ）に示すように、加熱出力は６レベルから強レベルへと大きくなり、かつ連動機器６のファン回転も発光手段８ｂから受光手段９ａへの赤外線通信により強へと移行する。
【００２８】
図３（ｂ）の状態でダウンスイッチ１０ｂを操作すると、図３（ｆ）に示すように、加熱出力は５レベルから４レベルへと小さくなる。
【００２９】
図３（ｄ）の状態で加熱切／入スイッチ１０ｃを操作すると、図３（ｅ）に示すように、加熱動作が停止するとともに、連動機器６のファン回転動作も発光手段８ｂから受光手段９ａへの赤外線通信により連動して停止する。図３（ｂ）（ｃ）（ｄ）（ｅ）（ｆ）では、スイッチ操作の直後に発光手段８ｂから受光手段９ａへの赤外線通信を行うことで、加熱動作と連動機器６のファン回転動作を連動させていることに加え、発光手段８ａから受光手段９ｂへの赤外線通信で連動機器６の動作状態を加熱調理器５に情報伝達し、得られた連動機器６の動作状態を加熱調理器５の表示手段３のバックライト付ＬＣＤに表示している。
【００３０】
図３（ｇ）は連動機器６が操作ロックされているときの加熱調理器５の表示例であり、図３（ｈ）は連動機器６が、ファンロックしていたり、上下前後に排気口が可動するような可動部を有する連動機器６において、可動部の故障などの異常が発生していたりした場合の表示例である。図３（ｇ）（ｈ）とも発光手段８ａから受光手段９ｂへの赤外線通信により連動機器６の動作状態が可能となっている。
【００３１】
以上のように、発光手段８ｂから受光手段９ａへの赤外線通信と、発光手段８ａから受光手段９ｂへの赤外線通信への双方を有することによって、加熱動作とファン回転動作を連動できることに加え、連動機器６の動作状態を加熱調理器５の表示手段３で共用しで表示でき、比較的高価なバックライト付ＬＣＤなどの表示素子を連動機器６個別で保有せずとも使用者に動作状態を知らしめることができ安価な構成となる。
【００３２】
また、本実施の形態においては、加熱調理器５が被加熱物２を載置するトッププレート４を有し、トッププレート４の下方に赤外線双方向通信手段１２である発光手段８ｂと受光手段９ｂを有する構成としており、発光手段８ｂと受光手段９ｂの汚れ付着による通信信頼性の低下を抑制することができ、トッププレート４のみを清掃することで容易に汚れを除去できるため、通信信頼性を容易に維持することができる。
【００３３】
また、加熱調理器５の加熱手段１は電磁誘導作用によって加熱する誘導加熱コイルとすることにより、加熱出力の微調整が容易で最適効率の加熱調理器を実現できることに加え、直火がないため安全性にも優れたものとすることができる。
【００３４】
また、加熱調理器５は、連動機器６との組み合わせ動作によって調理システムを構築できるものであり、例えば、加熱調理器５が故障した場合には、連動機器６を含めた加熱調理システム全体を修復する必要がなく、加熱調理器５のみを修理もしくは交換することでシステムを復元することができ、安価な修理となる。
【産業上の利用可能性】
【００３５】
以上のように、本発明にかかる加熱調理器とこれを備えた加熱調理システムは、レンジフードなどの連動機器の状態に基づいて加熱動作状態を制御したり、連動機器の状態を表示したりすることもでき、使い勝手がよいので、電熱加熱、誘導加熱のみならずガス加熱調理器の用途にも適用できる。
【図面の簡単な説明】
【００３６】
【図１】本発明の実施の形態における加熱調理器とこれを備えた加熱調理システムの構成図
【図２】同加熱調理システムの操作スイッチの構成図
【図３】同加熱調理システムの表示手段における表示動作例を示す図
【符号の説明】
【００３７】
１  加熱手段
２  被加熱物
３  表示手段
４  トッププレート
５  加熱調理器
６  連動機器
８ａ、８ｂ  発光手段
９ａ、９ｂ  受光手段
１０  操作スイッチ
１１  制御手段
１２  赤外線双方向通信手段
【図１】
2008192494.tif 000003
【図２】
2008192494.tif 000004
【図３】
2008192494.tif 000005